(57)【要約】      （修正有）【課題】雷の誘導電圧から監視カメラ及び映像受信機器を保護しつつ、伝送される高周波映像信号のノイズによる品質劣化を低減できる監視カメラシステムを提供する。【解決手段】監視カメラ１１１と映像受信機器１１２とを同軸ケーブル１１３で接続し、同軸ケーブル１１３に誘導されるサージ電圧から監視カメラ１１１及び映像受信機器１１２を保護する保護回路を含む避雷器１１４を同軸ケーブル１１３に接続した構成とされており、避雷器１１４は、保護回路を収容する避雷器金属筐体と、保護回路を大地に接地する接地端子と、保護回路を同軸ケーブルの外部導体に接続する外部導体接続端子と、保護回路に同軸ケーブルの中心導体を接続する中心導体接続端子と、避雷器金属筐体の接続を切り換える切換手段を有し、切換手段は、映像受信機器で受信される映像信号へのノイズの状態に応じて避雷器金属筐体の接続が切り換え可能とされている。【選択図】図１
2011061331.tif 000002
【特許請求の範囲】
【請求項１】
監視カメラと該監視カメラからの映像信号を受信する映像受信機器とを同軸ケーブルで接続する監視カメラシステムであって、
前記同軸ケーブルに接続され、前記同軸ケーブルに誘導されるサージ電圧から前記監視カメラ及び前記映像受信機器を保護する保護回路を含む避雷器を前記同軸ケーブルに接続した構成とされており、
前記避雷器は、
導電材から構成され、前記保護回路を収容する避雷器金属筐体と、
前記避雷器金属筐体とは絶縁され、前記保護回路を大地に接地する接地端子と、
前記避雷器金属筐体とは絶縁され、前記保護回路を前記同軸ケーブルの外部導体に接続する外部導体接続端子と、
前記保護回路に前記同軸ケーブルの中心導体を接続する中心導体接続端子と、
前記避雷器金属筐体の接続を、前記接地端子に接続した状態、前記外部導体接続端子に接続した状態、前記接地端子及び前記外部導体接続端子のいずれとも切断した状態に切り換える切換手段を含み、
前記切換手段は、前記映像受信機器で受信される前記映像信号へのノイズの状態に応じて前記避雷器金属筐体の接続が切り換え可能とされている監視カメラシステム。
【請求項２】
前記切換手段は、前記保護回路の前記接地端子に接続される接地パターンに接続され、前記避雷器金属筐体と絶縁された第１のネジ孔部と、
前記保護回路の前記外部導体接続端子に接続される外部導体接続パターンに接続され、前記避雷器金属筐体と絶縁された第２のネジ孔部と、
前記避雷器金属筐体に、前記第１のネジ孔部に対応して設けられた第１の孔部と、
前記避雷器金属筐体に、前記第２のネジ孔部に対応して設けられた第２の孔部とを有し、
前記避雷器金属筐体の前記第１の孔部を通して前記第１のネジ孔部にネジを螺入することにより、前記避雷器金属筐体を前記接地端子に接続し、
前記避雷器金属筐体の前記第２の孔部を通して前記第２のネジ孔部にネジを螺入することにより、前記避雷器金属筐体を前記外部導体接続端子に接続する請求項１記載の監視カメラシステム。
【請求項３】
前記切換手段は、操作ツマミが第１のポジションのとき前記避雷器金属筐体を前記接地端子に接続し、前記操作ツマミが第２のポジションのとき前記避雷器金属筐体を前記外部導体接続端子に接続するスイッチ装置から構成されている請求項１記載の監視カメラシステム。
【請求項４】
前記切換手段は、前記保護回路の前記接地端子に接続される接地パターンに接続され、前記避雷器金属筐体と絶縁された第１の挿入部と、
前記保護回路の前記外部導体接続端子に接続される外部導体接続パターンに接続され、前記避雷器金属筐体と絶縁された第２の挿入部と、
前記避雷器金属筐体に、前記第１の挿入部に対応して設けられた第１の孔部と、
前記避雷器金属筐体に、前記第２の挿入部に対応して設けられた第２の孔部とを有し、
前記避雷器金属筐体の前記第１の孔部を通して前記第１の挿入部にピンを挿入することにより、前記避雷器金属筐体を前記接地端子に接続し、
前記避雷器金属筐体の前記第２の孔部を通して前記第２の挿入部にピンを挿入することにより、前記避雷器金属筐体を前記外部導体接続端子に接続する請求項１記載の監視カメラシステム。
【発明の詳細な説明】
【技術分野】
【０００１】
本発明は、監視カメラシステムに係り、特に、監視カメラと監視カメラからの映像信号を受信する映像受信機器とを同軸ケーブルで接続する監視カメラシステムに関する。
【背景技術】
【０００２】
近年、監視カメラ、産業用カメラの性能の向上に伴い、カメラからの高周波映像信号を、同軸ケーブルを用いて映像受信機器へ伝送する映像システムが多く使用されている。同軸ケーブルは、中心導体と中心導体を囲うように配置された外部導体からなり、中心導体と外部導体とを往復導体とする伝送路として高周波映像信号が伝搬される。外部導体は電磁シールドの機能も併せ有している。
【０００３】
このとき、同軸ケーブルの配線が屋外等の電磁的影響を受け易い場所にある場合は、落雷の誘導電圧が同軸ケーブルに誘導される可能性がある。雷の誘導による過電圧・過電流が、監視カメラ、映像受信機器へ侵入してこれらを破壊する恐れがある。
【０００４】
そこで、効果的な雷防護を行うために、同軸ケーブル用避雷器を用いることが有効となる。同軸ケーブル用避雷器は、同軸ケーブルに直列に接続され、同軸ケーブルの中心導体及び外部導体に誘導される雷の誘導電圧を、接地ラインを通して大地に流す構成とされている（例えば、特許文献１参照）。
【０００５】
この種の同軸ケーブル用避雷器は、通常、同軸ケーブルの中心導体、外部導体に接続され、接地用の端子を有し、避雷器回路全体を金属筐体で覆う構造がとられる。金属筐体は避雷器回路部分の電磁シールドの機能も有するものであるが、その設置場所のノイズ環境によっては同軸ケーブル用避雷器の金属筐体と同軸ケーブル外部導体との接続の有無がノイズ低減効果に大きな影響を与えることが知られている。
【０００６】
監視カメラシステムの電磁波ノイズの混入の状況について、更に、詳細に説明する。
【０００７】
監視カメラシステムでは、同軸ケーブルを介して監視カメラと映像受信装置との間で高周波映像信号の伝送を行っている。このような監視カメラシステムでは、高周波映像信号は、同軸ケーブルの中心導体と外部導体間を伝播する。
【０００８】
同軸ケーブルの外部導体は、中心導体に流れる高周波信号電流の帰路電流路として使用されるため、同軸ケーブルの外部導体は、電子回路の基準点（0Vライン）又はグラウンドと呼ばれる点に接続される。これにより、外部導体を監視カメラ及び映像受信装置の金属筐体に接続するとともに、これらの金属筐体を大地に接地したとき、共に基準点と同電位となり、伝送される高周波映像信号が外来ノイズの影響を受けない構成とされている。
【０００９】
このとき、放送波や無線電波などの外来ノイズに対しては監視カメラと映像受信装置の金属筐体を、監視カメラシステムの基準点と同電位とすることで防いでいるが、誘導雷などの比較的大きな電位が誘導される過電圧に対しては、同軸ケーブルに避雷器を挿入し、監視カメラシステムを防護している。この避雷器挿入箇所において、同軸ケーブル外部導体は避雷素子を介して大地へ接続される。
【００１０】
同軸ケーブルの外部導体と大地との間に避雷素子を接続することにより、避雷器の外部導体接続部は避雷素子を通じて大地と接続されるため、通常時は電気的には50MΩ以上の高抵抗値で大地と絶縁されているが、誘導雷などによる比較的大きな誘導電圧が生じると導通状態となり誘導電流を大地に流す構成とされている。
【００１１】
また、他の電気設備等から大地へ漏洩するノイズ電流が存在する環境では、電子回路基準点を大地に接続すると、大地への接続位置からの廻り込みにより逆にノイズの影響を受けやすくなることがある。
【００１２】
また、監視カメラ用避雷器を監視カメラシステムに接続した場合、同軸ケーブルの外部導体である編組線等の金属体で外周を覆われている状態が物理的に切断されるが、避雷器の外部導体接続部に電気的には接続された状態となっている。避雷器の中には、同軸ケーブルの外部導体が避雷器金属筐体と電気的に絶縁されているものもあり、このような避雷器では、シールド効果を得ることができない場合がある。
【００１３】
監視カメラ用避雷器の外部導体接続部と金属筐体が電気的に接続されているものもある。この場合、避雷器の取り付けは金属製のラックキャビネットが想定され、ラックキャビネットは感電防止として大地と接続されていることが多いため必然的に外部導体と大地が接続された状態となり、これにより、大地からノイズの影響を受けることが考えられる。
【先行技術文献】
【特許文献】
【００１４】
【特許文献１】特開２０００−５０４９４号公報
【発明の概要】
【発明が解決しようとする課題】
【００１５】
上記のような種々状況から、監視カメラシステムのノイズ発生状態及び雷保護状態などの環境条件に応じて同軸ケーブルの外部導体と大地と避雷器金属筐体との接続を自由に選べる構成が望まれている。
【００１６】
本発明は、上記の点に鑑みてなされたもので、雷の誘導電圧から監視カメラ及び映像受信機器を保護しつつ、伝送される高周波映像信号のノイズによる品質劣化を低減できる監視カメラシステムを提供することを目的とする。
【課題を解決するための手段】
【００１７】
本発明は、監視カメラと監視カメラからの映像信号を受信する映像受信機器とを同軸ケーブルで接続する監視カメラシステムであって、
同軸ケーブルに接続され、同軸ケーブルに誘導されるサージ電圧から監視カメラ及び映像受信機器を保護する保護回路を含む避雷器を同軸ケーブルに接続した構成とされており、
避雷器は、
導電材から構成され、保護回路を収容する避雷器金属筐体と、
避雷器金属筐体とは絶縁され、保護回路を大地に接地する接地端子と、
避雷器金属筐体とは絶縁され、保護回路を同軸ケーブルの外部導体に接続する外部導体接続端子と、保護回路に同軸ケーブルの中心導体を接続する中心導体接続端子と、
避雷器金属筐体の接続を、接地端子に接続した状態、外部導体接続端子に接続した状態、接地端子及び外部導体接続端子のいずれとも切断した状態に切り換える切換手段を含み、切換手段は、映像受信機器で受信される信号のノイズの状態及び雷保護状態等の環境条件に応じて避雷器金属筐体の接続が切り換え可能とされている。
【００１８】
また、切換手段は、
保護回路の接地端子に接続される接地パターンに接続され、避雷器金属筐体と絶縁された第１のネジ孔部と、
保護回路の外部導体接続端子に接続される外部導体接続パターンに接続され、避雷器金属筐体と絶縁された第２のネジ孔部と、避雷器金属筐体に、第１のネジ孔部に対応して設けられた第１の孔部と、
避雷器金属筐体に、第２のネジ孔部に対応して設けられた第２の孔部とを有し、
避雷器金属筐体の第１の孔部を通して第１のネジ孔部にネジを螺入することにより、避雷器金属筐体を接地端子に接続し、
避雷器金属筐体の第２の孔部を通して第２のネジ孔部にネジを螺入することにより、避雷器金属筐体を外部導体接続端子に接続する構成とされている。
【００１９】
また、切換手段は、操作ツマミが第１のポジションのとき避雷器金属筐体を接地端子に接続し、操作ツマミが第２のポジションのとき避雷器金属筐体を外部導体接続端子に接続するスイッチ装置から構成されている。
【００２０】
さらに、切換手段は、
保護回路の接地端子に接続される接地パターンに接続され、避雷器金属筐体と絶縁された第１の挿入部と、
保護回路の外部導体接続端子に接続される外部導体接続パターンに接続され、避雷器金属筐体と絶縁された第２の挿入部と、
避雷器金属筐体に、第１の挿入部に対応して設けられた第１の孔部と、
避雷器金属筐体に、第２の挿入部に対応して設けられた第２の孔部とを有し、
避雷器金属筐体の第１の孔部を通して第１の挿入部にピンを螺入することにより、避雷器金属筐体を接地端子に接続し、避雷器金属筐体の第２の孔部を通して第２の挿入部にピンを螺入することにより、避雷器金属筐体を外部導体接続端子に接続する構成とされている。
【発明の効果】
【００２１】
本発明は、監視カメラと監視カメラからの映像信号を受信する映像受信機器とを同軸ケーブルで接続する監視カメラシステムにおいて、避雷器金属筐体の接続を、接地端子に接続した状態、外部導体接続端子に接続した状態、接地端子及び外部導体接続端子のいずれとも切断した状態に切り換える切換手段を設け、映像受信機器で受信される映像信号へのノイズの状態及び雷保護状態に応じて避雷器金属筐体の接続が切り換え可能とすることにより、ノイズの状態及び雷保護状態などと各装置の設置状況に応じて避雷器金属筐体と同軸ケーブルの外部導体との接続の有無を切り換えることができ、これにより、容易に電磁波ノイズの低減効果を切り換えできるため、監視カメラシステムにおける高周波映像信号のノイズによる品質劣化を低減できる。
【図面の簡単な説明】
【００２２】
【図１】本発明の一実施例のシステム構成図である。
【図２】避雷器１１４のブロック構成図である。
【図３】避雷器１１４の分解斜視図である。
【図４】避雷器１１４の装置本体の斜視図である。
【図５】避雷器１１４の裏面側平面図である。
【図６】避雷器１１４の変形例のブロック図である。
【図７】避雷器１１４の変形例の分解斜視図である。
【図８】避雷器１１４の変形例の裏面側平面図である。
【発明を実施するための形態】
【００２３】
図１は本発明の一実施例のシステム構成図を示す。
【００２４】
本発明の監視カメラシステム１００は、監視カメラ１１１と監視カメラ１１１からの映像信号を受信する映像受信機器１１２とを同軸ケーブル１１３ａ、１１３ｂ、１１３ｃを介して接続する。
【００２５】
監視カメラ１１１は、例えば、ＣＣＤを用いたカメラから構成され、監視対象の周囲の映像を撮影する。監視カメラ１１１は、撮影した映像を高周波映像信号に変換して、同軸ケーブル１１３ａの一端より出力する。同軸ケーブル１１３ｂの他端は、避雷器１１４に接続されている。監視カメラ１１１から出力される高周波映像信号は、同軸ケーブル１１３ａを通して避雷器１１４に供給される。
【００２６】
避雷器１１４は、保安器などとも呼ばれ、監視カメラ１１１に近接して設けられている。避雷器１１４には、同軸ケーブル１１３ｂの一端、及び、一端が大地に接地された接地ケーブル１１９が接続されている。避雷器１１４は、同軸ケーブル１１３ａを通して供給された高周波映像信号を、保護回路を通して同軸ケーブル１１３ｂに伝送する。保護回路は、同軸ケーブル１１３ｂに誘導されるサージ電圧を、接地用ケーブル１１９を通して接地に流す。接地用ケーブル１１９は、一端が保護回路に接続され、他端が大地に接地されている。
【００２７】
図２は避雷器１１４のブロック構成図を示す。
【００２８】
避雷器１１４は、電圧防護回路１２１、１２２、１２３、切換手段１２５、避雷器金属筐体１２６、同軸コネクタ１２７、１２８、接地端子Ｔ31を含む構成とされている。
【００２９】
同軸コネクタ１２７は、例えば、ＢＮＣ型コネクタから構成されており、同軸ケーブル１３１ｂの一端に取り付けられたＢＮＣ型コネクタが装着される。同軸コネクタ１２７は、中心導体接続端子Ｔ11、外部導体接続端子Ｔ12を含む構成とされている。中心導体接続端子Ｔ11は、同軸コネクタ１２７側で同軸ケーブル１３１ｂの中心導体に接続され、避雷器１１４の内部側で、同軸コネクタ１２８の中心導体接続端子Ｔ21に接続されている。
【００３０】
また、同軸コネクタ１２８は、同軸コネクタ１２７と同様に、例えば、ＢＮＣ型コネクタから構成されており、同軸ケーブル１３１ａの一端に取り付けられたＢＮＣ型コネクタが装着される。同軸コネクタ１２８は、中心導体接続端子Ｔ21、外部導体接続端子Ｔ22を含む構成とされている。中心導体接続端子Ｔ21は、同軸コネクタ１２７側で同軸ケーブル１３１ａの中心導体に接続され、避雷器１１４の内部側で、同軸コネクタ１２７の中心導体接続端子Ｔ11に接続されている。
【００３１】
同軸コネクタ１２８の外部導体接続端子Ｔ12は、同軸コネクタ１２７側で同軸ケーブル１３１ｂの外部導体に接続され、避雷器１１４の内部側で、同軸コネクタ１２８の外部導体接続端子Ｔ22に接続されている。
【００３２】
電圧防護回路１２１は、避雷器金属筐体１２６の内部に配置され、同軸コネクタ１２７、１２８の中心導体接続端子Ｔ11、Ｔ21と接地端子Ｔ31との間に接続される。電圧防護回路１２２は、避雷器金属筐体１２６の内部に配置され、同軸コネクタ１２７、１２８の外部導体接続端子Ｔ12、Ｔ22と、接地端子Ｔ31との間に接続される。電圧防護回路１２３は、避雷器金属筐体１２６の内部に配置され、同軸コネクタ１２７、１２８の中心導体接続端子Ｔ11、Ｔ21と、同軸コネクタ１２７、１２８の外部導体接続端子Ｔ12、Ｔ22との間に接続される。
【００３３】
なお、電圧防護回路１２１、１２２、１２３は、両極間の電圧が設定された一定の電圧よりも上昇することを防止する回路であり、例えば、避雷管、ツェナーダイオード、サイリスタなどの電圧防護素子を含む構成とされている。
【００３４】
なお、接地端子Ｔ31は、接地ケーブル１１９を介して大地に接地される。
【００３５】
避雷器１１４は、電圧防護回路１２１、１２２、１２３により同軸ケーブル１１３ａ、１１ｂなどに接続される監視カメラ１１１などの機器を保護する。
【００３６】
切換手段１２５は、接地接続ねじ孔Ａ、Ｂ、Ｃ、接地切換ねじ１３１から構成されている。接地接続ねじ孔Ａは、同軸コネクタ１２７の外部導体接続端子Ｔ12、同軸コネクタ１２８の外部導体接続端子Ｔ22、電圧防護回路１２２の一端に接続されている。接地接続ねじ孔Ｂは、電圧防護回路１２１、１２２の他端、及び、接地端子Ｔ31に接続されている。接地接続ねじ孔Ｃは、絶縁状態であり、どこにも接続されていない。また、接地接続ねじ孔Ａ、Ｂ、Ｃは、避雷器金属筐体１２６とは絶縁されている。
【００３７】
図３は避雷器１１４の分解斜視図、図４は避雷器１１４の装置本体の斜視図、図５は避雷器１１４の裏面側平面図を示す。
【００３８】
避雷器金属筐体１２６は、ステンレスなどの導電材板から構成されており、上側金属筐体１２６ａ、及び、下側金属筐体１２６ｂから構成されている。避雷器金属筐体１２６の内部には、装置本体１４１が避雷器金属筐体１２６とは電気的に絶縁となるように状態で取り付けられる。
【００３９】
装置本体１４１は、プリント配線板１４２、１４３から構成されている。プリント配線板１４２、１４３には、同軸コネクタ１２７、１２８、接地端子Ｔ31、電圧防護回路１２１、１２２、１２３のいずれかが実装される。プリント配線板１４２とプリント配線板１４２とは、接続ピン１４４などにより接続される。
【００４０】
プリント配線板１４２とプリント配線板１４３とは、互いに平行に配置され、同軸コネクタ１２７、１２８、接地端子Ｔ31、電圧防護回路１２１、１２２、１２３を構成する部品が間に配置される。上記構成により、装置本体１４１の小型化が図られている。
【００４１】
装置本体１４１は、絶縁体からなるスペーサ１４５を介してねじ１４７により下避雷器金属筐体１２６ｂに電気的に絶縁状態に固定される。
【００４２】
上側金属筐体１２６ａは、ねじ１４８により下側金属筐体１２６ｂに固定される。上側金属筐体１２６ａと下側金属筐体１２６ｂとは、電気的に導通状態に固定される。
【００４３】
また、このとき、同軸コネクタ１２７、１２８、接地端子Ｔ31は、ねじ１４９、ワッシャ１５０などにより避雷器金属筐体１２６に対して電気的に絶縁状態に固定される。
【００４４】
なお、下側金属筐体１２６ｂには、接地接続ねじ孔Ａ、Ｂ、Ｃに対応する位置に貫通孔１５１ａ、１５１ｂ、１５１ｃが形成されている。接地切換ねじ１３１は、貫通孔１５１ａ、１５１ｂ、１５１ｃを通して、接地接続ねじ孔Ａ−Ｃに螺入される。
【００４５】
接地切換ねじ１３１は、避雷器金属筐体１２６の外部から接地接続ねじ孔Ａに螺入されると、避雷器金属筐体１２６と接地接続ねじ孔Ａとを電気的に接続し、避雷器金属筐体１２６の外部から接地接続ねじＢに螺入されると、避雷器金属筐体１２６と接地接続ねじ孔Ｂとを電気的に接続し、避雷器金属筐体１２６の外部から接地接続ねじ孔Ｃに螺入されると、避雷器金属筐体１２６と接地接続ねじ孔Ｃとを電気的に接続する。
【００４６】
接地切換ねじ１３１を接地接続ねじ孔Ａに螺入することによって、避雷器金属筐体１２６を同軸コネクタ１２７、１２８の外部導体接続端子Ｔ12、Ｔ22を介して同軸ケーブル１１３ａ、１１３ｂの外部導体に接続することができる。また、接地切換ねじ１３１を接地接続ねじＢに螺入することによって、避雷器金属筐体１２６を、接地端子Ｔ31、接地用ケーブル１１９を介して大地に接地することができる。さらに、接地切換ねじ１３１を接地接続ねじ孔Ｃに螺入することによって、避雷器金属筐体１２６を電気的に絶縁状態にすることができる。
【００４７】
接地切換ねじ１３１を接地接続ねじ孔Ｃに螺入することにより、避雷器金属筐体１２６を電気的に絶縁状態にする場合であっても接地切換ねじ１３１を避雷器金属筐体１２６に固定しておくことができるため、接地切換ねじ１３１の紛失などを防止できる。
【００４８】
避雷器１１５は、避雷器１１４と同様な構成であり、同軸ケーブル１１３ｂの他端に接続される。避雷器１１５は、映像受信機器１１２に近接して設けられる。避雷器１１５には、同軸ケーブル１１３ｃの一端及び接地用ケーブル１２０の一端が接続されている。接地用ケーブル１２０の他端は、接地されている。避雷器１１５は、同軸ケーブル１１３ｂ、１１３ｃに誘導されるサージ電圧を、接地用ケーブル１２０を通して大地に流す。
【００４９】
同軸ケーブル１１３ｃの他端は、映像受信機器１１２に接続されている。映像受信機器１１２は、例えば、映像サーバ、ビデオレコーダなどから構成される。映像受信機器１１２は、モニタ１１８に接続されている。映像受信機器１１２は、監視カメラ１１１からの高周波映像信号を受信して、モニタ１１８に表示させたり、録画したりする。
【００５０】
本実施例によれば、避雷器１１４、１１５の切換手段１２５により、映像受信機器１１２で受信される高周波映像の状態に応じて避雷器金属筐体１２６を外部導体接続端子Ｔ11、Ｔ21に接続した状態、または、避雷器金属筐体１２６を接地端子Ｔ31に接続した状態、または、避雷器金属筐体１２６を外部導体接続端子Ｔ11、Ｔ21及び接地端子Ｔ31のどちらにも接続しない状態に切り換えることにより、高周波映像信号へのノイズの影響を低減することができる。
【００５１】
例えば、図１中に示す監視カメラシステム１００において、避雷器１１４、１１５を、それぞれ監視カメラ１１１、映像受信装置１１２にできるだけ近い位置に設置する。このとき、通常は、避雷器金属筐体１２６は接地し、様々な電気的影響から避雷器金属筐体１２６が充電され電気的に不安定となることを防止することができる。このとき、映像信号の品質への影響が考えられるノイズとして、近辺の電気機器等から大地へ漏洩するノイズ電流が接地から廻り込んで侵入する場合、及び、空間の電磁波ノイズが避雷器１１４のプリント基板上の外部導体、中心導体に誘導されて侵入する場合が想定される。
【００５２】
前者の近辺の電気機器等から大地へ漏洩するノイズ電流が接地から廻り込んで侵入する場合は、避雷器金属筐体１２６を接地から外し、経路を断つことでノイズの侵入を防ぐことができる。後者の空間の電磁波ノイズが避雷器１１４のプリント基板上の外部導体、中心導体に誘導されて侵入する場合は、切換手段１２５を、避雷器金属筐体１２６が外部導体端子Ｔ12、Ｔ22に接続されるように切り換えることで、避雷器金属筐体１２６が同軸ケーブル１１３ａ、１１３ｂ、１１３ｃの外部導体から続く遮蔽体として働き、避雷器１１４のプリント基板上の外部導体、中心導体を電磁波ノイズから遮蔽することができる。
【００５３】
なお、避雷器１１４、１１５は、例えば、高耐量（８／２０μｓ、２０ｋA）の雷防護機能を有する。また、ナノ秒オーダーの高速雷サージ応答性を有する構成とされている。また、ＤＣ〜３０ＭＨｚまでの伝送が可能、すなわち、高精細テレビジョン信号伝送が可能な構成とされている。
【００５４】
本実施例によれば、監視カメラ１１１と監視カメラ１１１からの映像信号を受信する映像受信機器１１２とを同軸ケーブル１１３ａ、１１３ｂ、１１３ｃで接続する監視カメラシステム１００において、避雷器１１４、１１５の避雷器金属筐体１２６の接続を、接地端子に接続した状態、外部導体接続端子に接続した状態、接地端子及び外部導体接続端子のいずれとも切断した状態に切り換える切換手段１２５を設け、映像受信機器１１２で受信される高周波映像信号へのノイズの状態及び雷保護状態に応じて避雷器金属筐体１２６の接続の状態を切り換え可能とすることにより、監視カメラ１１１、映像受信機１１２、同軸ケーブル１１３ａ、１１３ｂ、１１３ｃ、避雷器１１４、１１５などの装置の設置状況に応じて避雷器１１４、１１５の避雷器金属筐体１２６と同軸ケーブル１１３ａ、１１３ｂ、１１３ｃの外部導体との接続の有無を切り換えることができ、これにより、容易に高周波映像信号のノイズによる品質劣化を低減できる。
【００５５】
なお、接地切換ねじ１３１に替えて、接地切換ピンとし、接地接続ねじ孔Ａ、Ｂ、Ｃを、接地切換ピンを挿入するための３つの挿入孔などにより構成するようにしてもよい。ピンを用いることにより、ピンの挿入孔への装着脱により、避雷器金属筐体１２６の接続を切り換えることができるため、ねじのように螺入などの回転作業が不要となるので、避雷器金属筐体１２６の接続の切換作業の作業効率を向上させることができる。
【００５６】
また、本実施例の避雷器１１４、１１５は、切換手段１２５による避雷器金属筐体１２６の接続の切換を接地切換ねじ１３１、ピンなどを差し替えることにより行ったが、スイッチの切換などにより行える構成としてもよい。
【００５７】
図６は、避雷器１１４の変形例のブロック図、図７は避雷器１１４の変形例の分解斜視図、図８は避雷器１１４の変形例の裏面側平面図を示す。同図中、図２、図３、図５などと同一構成部分には同一符号を付し、その説明は省略する。
【００５８】
本変形例の避雷器２１４は、切換手段２２５がスイッチ２３１から構成されている。スイッチ２３１は、プリント配線板１４２の下面側に実装されており、プリント配線板１４２及び避雷器金属筐体１２６と電気的に接続されている。スイッチ２３１は、操作ツマミ２３１ａが下側金属筐体１２６ｂの開口部２３２から外方に露出する構成とされている。
【００５９】
スイッチ２３１の操作ツマミ２３１ａは、３つのポジションＰa、Ｐb、Ｐcを取り得る。スイッチ２３１は、操作ツマミ２３１ａがポジションＰaにあるときには、避雷器金属筐体１２６が節点ｔaに接続される。節点ｔaは、同軸コネクタ１２７、１２８の外部導体接続端子Ｔ12、Ｔ22に接続されている。このため、操作ツマミ２３１ａをポジションＰaに位置させることにより、避雷器金属筐体１２６は、同軸コネクタ１２７、１２８の外部導体接続端子Ｔ12、Ｔ22を通して同軸ケーブル１１３ａ、１１３ｂ、１１３ｃなどの外部導体に接続される。
【００６０】
スイッチ２３１は、操作ツマミ２３１ａがポジションＰbにあるときには、避雷器金属筐体１２６が節点ｔbに接続される。節点ｔbは、接地端子Ｔ31に接続されている。このため、操作ツマミ２３１ａをポジションＰbに位置させることにより、避雷器金属筐体１２６は、接地端子Ｔ31を通して大地に接地される。
【００６１】
スイッチ２３１は、操作ツマミ２３１ａがポジションＰcにあるときには、避雷器金属筐体１２６が節点ｔcに接続される。節点ｔcは、開放状態とされており、どこにも接続されていない。このため、操作ツマミ２３１ａをポジションＰcに位置させることにより、避雷器金属筐体１２６は、開放状態となり、どこにも接続されない。
【００６２】
本変形例によれば、操作ツマミ２１３ａの操作により容易に避雷器金属筐体１２６の接続を切り換えることができる。
【００６３】
本発明は上記実施例に限定されるものではなく、本発明の要旨を逸脱しない範囲において種々の変形例が考えられることは言うまでもない。
【符号の説明】
【００６４】
１００  監視カメラシステム
１１１  監視カメラ、１１２  映像受信機器
１１３ａ、１１３ｂ、１１３ｃ  同軸ケーブル
１１４、１１５、２１４  避雷器
１２１、１２２、１２３  電圧防護回路
１２４  ツェナーダイオード対、１２５、２２５  切換手段
１２６  避雷器金属筐体、１２６ａ  上側金属筐体、１２６ｂ  下側金属筐体
１２７、１２８  同軸コネクタ
１３１  接地接続ねじ
１４２  プリント配線板
２３１  スイッチ、２３１ａ  操作ツマミ
Ａ、Ｂ、Ｃ  接地接続ねじ孔
Ｔ11、Ｔ21  中心導体接続端子、Ｔ12、Ｔ22  外部導体接続端子
Ｔ31  接地端子
【図１】
2011061331.tif 000003
【図２】
2011061331.tif 000004
【図３】
2011061331.tif 000005
【図４】
2011061331.tif 000006
【図５】
2011061331.tif 000007
【図６】
2011061331.tif 000008
【図７】
2011061331.tif 000009
【図８】
2011061331.tif 000010